(57)【要約】      （修正有）【課題】加熱対象物に対して部分的に加熱を行う場合において、加熱対象領域内に対する加熱の均一性を高めた、加熱装置及びこれに用いられる遮光部材を提供する。【解決手段】加熱装置１は、所定の方向に延伸する加熱ランプ３が複数配列されてなる光源部５と、加熱対象物７を設置するための支持部８と、支持部によって加熱対象物が設置された状態において、光源部と加熱対象物との間の位置であって加熱対象物の一部の領域に対向する位置に設置された遮光部材９とを有する。遮光部材は、光源部に対向する第一面と、加熱対象物に対向する第二面とを有し、第一面に平行な方向から見て、第一面に最も近い位置から第二面に近づくに連れて拡がりを有する領域を有する。【選択図】図３
2018063874.tif 000002
【特許請求の範囲】
【請求項１】
所定の方向に延伸する加熱ランプが複数配列されてなる光源部と、
加熱対象物を設置するための支持部と、
前記支持部によって前記加熱対象物が設置された状態において、前記光源部と前記加熱対象物との間の位置であって、前記加熱対象物の一部の領域に対向する位置に設置された遮光部材とを有し、
前記遮光部材は、
前記光源部に対向する第一面と、前記加熱対象物に対向する第二面とを有し、
前記第一面に平行な方向から見て、前記第一面に最も近い位置から前記第二面に近づくに連れて拡がりを有する領域を有することを特徴とする加熱装置。
【請求項２】
前記遮光部材は、前記加熱ランプが延伸する方向から見て、前記第一面に最も近い位置から前記第二面に近づくに連れて拡がりを有する領域を有することを特徴とする請求項１に記載の加熱装置。
【請求項３】
前記遮光部材は、前記第一面と前記第二面とを連絡する第三面を有し、
前記第三面と前記第一面との二面角が鈍角であることを特徴とする請求項１又は２に記載の加熱装置。
【請求項４】
前記第三面と前記第一面との二面角が１２０°以上であることを特徴とする請求項３に記載の加熱装置。
【請求項５】
前記遮光部材は、前記第一面と前記第二面とが曲面で連絡されていることを特徴とする請求項１又は２に記載の加熱装置。
【請求項６】
前記光源部、前記支持部、及び前記遮光部材を収容する筐体を有し、
前記筐体の内側の面が、前記光源部から射出された光を反射させる構成であることを特徴とする請求項１〜５のいずれか１項に記載の加熱装置。
【請求項７】
加熱装置用の遮光部材であって、
前記加熱装置は、所定の方向に延伸する加熱ランプが複数配列されてなる光源部を有し、当該光源部から射出された光を照射して加熱対象物を加熱する構成であって、
前記遮光部材は、
第一面と、前記第一面と反対側に位置する第二面とを有し、
前記第一面に平行な方向から見て、前記第一面に最も近い位置から前記第二面に近づくに連れて拡がりを有する領域を有することを特徴とする加熱装置用の遮光部材。
【発明の詳細な説明】
【技術分野】
【０００１】
本発明は、加熱装置に関し、特に加熱対象物に対して光を照射することで加熱する加熱装置に関する。また、本発明は、このような加熱装置に用いられる遮光部材に関する。
【背景技術】
【０００２】
従来、鋼板を高強度に加工する手段としてダイクエンチと呼ばれる技術が知られている。ダイクエンチは、高温に加熱した鋼板を成形用の型（ダイ）でプレス加工すると共に、成形用の金型によって急速に冷却することによって、鋼板に焼入れを施す処理である。一般的には９００℃以上もの温度にまで鋼板を加熱した後に冷却することで、組成を変態させ、これにより、高強度のプレス加工品が製造される。このようなプレス加工品は、例えば自動車の車体構成部品などに利用される。
【０００３】
鋼板を高温に加熱する一手段として、光を照射することによる非接触加熱手段が期待されている。例えば、下記特許文献１には、赤外線を照射する直管型の近赤外ランプを設けた加熱装置によって、加熱対象物（ワーク）を加熱することが記載されている。またこの文献には、遮光部材（遮蔽プレート）を用いて部分的に光をマスクすることで、加熱対象物に対して部分的に加熱を行うことが記載されている。
【先行技術文献】
【特許文献】
【０００４】
【特許文献１】特許第４５７５９７６号公報
【発明の概要】
【発明が解決しようとする課題】
【０００５】
遮光部材は、加熱対象物のうちの一部分の領域を加熱させたい場合に効果的である。以下、説明の都合上、加熱対象物のうち、加熱させたい領域を「第一領域」と呼び、第一領域よりも加熱させたくない領域を「第二領域」と呼ぶものとする。このとき、第二領域に対向する箇所にのみ遮光部材を設置することで、第一領域に対してはランプからの光が照射される一方、第二領域に対しては遮光部材によってランプからの光が遮られるため第一領域と比べて照度が大きく低下する。この結果、加熱対象物の第一領域のみが加熱される。
【０００６】
ところで、プレス加工品においては、上述したような自動車の車体構成部品のように、完成後の製品強度に対して厳格な要請が課せられるものがある。つまり、完成後の製品が十分な強度を有するように、加熱対象物の加熱対象領域（第一領域）に対してできるだけ均一に加熱することが求められる。
【０００７】
本発明者の鋭意研究によれば、上記特許文献１の技術を用いて加熱を行った場合、加熱対象物の第一領域内において、加熱のムラが生じることが確認された。個々のランプの強度を制御してもこのような加熱のムラを緩和するのは困難であり、またそのような調整は極めて煩雑である。
【０００８】
本発明は、上記の課題に鑑み、加熱対象物に対して部分的に加熱を行う場合において、加熱対象領域内に対する加熱の均一性を高めた、加熱装置及びこれに用いられる遮光部材を提供することを目的とする。
【課題を解決するための手段】
【０００９】
本発明の加熱装置は、
所定の方向に延伸する加熱ランプが複数配列されてなる光源部と、
加熱対象物を設置するための支持部と、
前記支持部によって前記加熱対象物が設置された状態において、前記光源部と前記加熱対象物との間の位置であって、前記加熱対象物の一部の領域に対向する位置に設置された遮光部材とを有し、
前記遮光部材は、
前記光源部に対向する第一面と、前記加熱対象物に対向する第二面とを有し、
前記第一面に平行な方向から見て、前記第一面に最も近い位置から前記第二面に近づくに連れて拡がりを有する領域を有することを特徴とする。
【００１０】
上述したように、遮光部材は、加熱対象物に対して光を照射する領域を部分的にする機能を有する。遮光部材に対向する位置に配置された加熱ランプから射出された光は、遮光部材によって遮光される。このため、加熱対象物のうち、遮光部材に対向する領域については、遮光部材に対向しない領域と比べて照度が低下する。この結果、加熱対象物のうちの、遮光部材によって遮光されていない領域に対して加熱することができる。
【００１１】
ところで、加熱ランプから射出された光は、所定の発散角を有して進行する。このため、遮光部材と対向する位置ではないものの、遮光部材の端部近傍に配置された加熱ランプから射出された光の一部が、遮光部材の側面に照射される。ここでいう「側面」とは、遮光部材の面のうち、光源部に対向する面（第一面）と加熱対象物に対向する面（第二面）とを連絡する面を指す。
【００１２】
上記特許文献１を初めとした従来の加熱装置で用いられていた遮光部材は、製造が容易であるという観点から、側面が第一面と第二面に直交した、柱体形状を有していた。このような柱体形状を有した遮光部材を用いた場合、側面に入射された光が、当該側面で反射して加熱対象物に向かう。このとき、遮光部材に対向しない箇所に配置された加熱ランプのうち、遮光部材の近傍に配置されている加熱ランプ（以下では「特定ランプ」と称する。）から射出された光が、前記遮光部材の側面に入射する際の入射角の範囲は小さい。このことは、遮光部材の側面で反射された光の反射角の範囲が小さいことを意味し、当該反射光が加熱対象物に照射される領域が限定的になることを意味する。
【００１３】
なお、遮光部材から離れた位置に配置されている加熱ランプから射出された光についても、その一部が遮光部材の側面に入射する場合が想定される。しかし、特定ランプから射出された光が遮光部材の側面に入射する場合の入射角の範囲と比較して、特定ランプよりも遮光部材から離れた位置に配置された加熱ランプから射出された光が遮光部材の側面に入射する場合の入射角の範囲は広い。このため、後者の加熱ランプから射出され、遮光部材の側面で反射された光（反射光）の発散角は大きく、加熱対象物の広い範囲に入射される。つまり、遮光部材から離れた位置に配置された加熱ランプから射出された光によって、加熱対象物の特定の箇所が著しく加熱されるということは起こりにくい。
【００１４】
これに対し、上述したように、遮光部材の近傍に配置された特定ランプから射出された光が遮光部材の側面で反射すると、反射角の範囲が小さいため発散角が小さく、加熱対象物の特定の領域に入射される。この結果、加熱対象物の特定の領域が加熱されやすくなり、加熱ムラの原因となる。
【００１５】
上記の加熱装置が備える遮光部材は、光源部に対向する第一面に平行な方向から見たとき、前記第一面に最も近い位置から加熱対象物に対向する第二面に近づくに連れて拡がりを有する領域を有している。この結果、遮光部材の近傍に配置された加熱ランプ（特定ランプ）から遮光部材の側面（第一面と第二面とを連絡する領域）に入射された場合、当該側面における光の入射角の範囲が広げられる。この結果、側面での反射光の発散角が広がり、加熱対象物の広い範囲に入射されるため、加熱対象物の特定の箇所を著しく加熱するという事態が抑制できる。
【００１６】
上記のような遮光部材の形態は、種々採用され得る。
【００１７】
一例として、前記遮光部材は、前記加熱ランプが延伸する方向から見て、前記第一面に最も近い位置から前記第二面に近づくに連れて拡がりを有する領域を有する構成とすることができる。
【００１８】
また、一例として、前記遮光部材は、前記第一面と前記第二面とを連絡する第三面を有し、前記第三面と前記第一面との二面角が鈍角である構成とすることができる。一例として、前記第三面と前記第一面との二面角を１２０°以上とすることができる。前記二面角をこの角度範囲とすることで、遮光部材の第三面で反射された光を加熱対象物の十分広い範囲に向かわせることが可能となる。
【００１９】
この構成において、前記第三面と前記第二面との二面角が鋭角である構成としても構わない。
【００２０】
また、前記遮光部材は、前記第一面と前記第二面とが曲面で連絡されているものとしても構わない。このように側面を曲面で構成した場合であっても、加熱ランプから射出された光の遮光部材の側面における入射角の範囲が広げられるため、その反射光を加熱対象物の十分広い範囲に向かわせることが可能となる。
【００２１】
前記光源部、前記支持部、及び前記遮光部材を収容する筐体を有し、
前記筐体の内側の面が、前記光源部から射出された光を反射させる構成としても構わない。
【００２２】
このような構成とすることで、光源部から射出され、遮光部材の面で反射された光のうち、加熱対象物には向かわない光が存在したとしても、筐体の面で再反射させることで再び加熱対象物に向かわせることができる。これにより、光の利用効率を向上させることができる。
【００２３】
また、本発明に係る遮光部材は、
加熱装置用の遮光部材であって、
前記加熱装置は、所定の方向に延伸する加熱ランプが複数配列されてなる光源部を有し、当該光源部から射出された光を照射して加熱対象物を加熱する構成であって、
前記遮光部材は、
第一面と、前記第一面と反対側に位置する第二面とを有し、
前記第一面に平行な方向から見て、前記第一面に最も近い位置から前記第二面に近づくに連れて拡がりを有する領域を有することを特徴とする。
【発明の効果】
【００２４】
本発明の加熱装置及び遮光部材によれば、加熱対象物に対して部分的に加熱を行う場合において、加熱対象領域内に対する加熱の均一性を高めることができる。
【図面の簡単な説明】
【００２５】
【図１】本発明の加熱装置の一実施形態の模式的な平面図である。
【図２】加熱ランプの構造の一例を模式的に示す図面である。
【図３】本発明の加熱装置の一実施形態の模式的な側面図である。
【図４】図３の一部分の拡大図である。
【図５】比較例１の遮光部材を用いた場合の光線図を図４にならって図示したものである。
【図６】遮光部材の形状を種々異ならせて加熱対象物を加熱したときの、加熱対象物上の照度分布を示すグラフである。
【図７】実施例５の遮光部材を用いた場合の光線図を図４にならって図示したものである。
【図８】別実施形態の遮光部材の構成を模式的に示す図面である。
【図９】別実施形態の遮光部材の構成を模式的に示す図面である。
【図１０】別実施形態の遮光部材の構成を模式的に示す図面である。
【発明を実施するための形態】
【００２６】
以下において、本発明の加熱装置及び遮光部材の実施形態につき、図面を参照して説明する。以下の各図において、実際の寸法比と図面上の寸法比は必ずしも一致しない。
【００２７】
図１は加熱装置の一実施形態の模式的な平面図である。加熱装置１は、複数の加熱ランプ３が配列されてなる光源部５を有する。
【００２８】
図１に示すように、加熱装置１が備える加熱ランプ３は、所定の方向（図面ではＹ方向）に延伸する構成である。このような加熱ランプ３が、延伸方向とは異なる方向（図面ではＸ方向）に複数本が配列されている。
【００２９】
加熱装置１は、複数の加熱ランプ３から射出される光によって加熱対象物７を加熱する装置である。加熱対象物７は、一例として、ＦｅやＣなどからなる鋼板が想定される。図１に示される例では、加熱対象物７の一部の領域に対して加熱を施すことを想定しており、加熱対象物７のうちの、加熱させたくない領域に対向する位置に遮光部材９が配置されている。なお、図３を参照して後述されるが、加熱装置１は支持部８を有し、支持部８によって加熱対象物７を固定して設置できるように構成されている。
【００３０】
遮光部材９は、加熱ランプ３からの射出光を透過しない材料で構成されており、例えば、金メッキでコーティングされた金属板からなる。このとき、遮光部材９は、加熱ランプ３からの射出光の多くを反射させる。また、遮光部材９には、必要に応じて水冷パイプ（不図示）が内部に設けられている。この目的は、遮光部材９の温度上昇を抑制することにある。加熱ランプ３から射出された光が遮光部材９に照射されることで、遮光部材９の温度が上昇する。遮光部材９内に水冷パイプが設けられていれば、この温度上昇を抑制することができる。ただし、本発明の加熱装置１において、遮光部材９の内部に水冷パイプを初めとする冷却装置を設けるか否かは任意である。
【００３１】
図１に示す加熱装置１の例では、光源部５（複数の加熱ランプ３）から射出されて＋Ｚ方向に進行する光のうち、遮光部材９によって遮光されなかった光が、加熱対象物７に照射されることで、加熱対象物７が加熱される。
【００３２】
図２は、加熱ランプ３の構造の一例を模式的に示す図面である。図２に示される加熱ランプ３は、管体１１、発光体１３、金属箔１５、封止体１７、及び反射部材１９を備えている。
【００３３】
管体１１は、発光体１３から射出される光を透過させる材料で構成されており、例えば石英ガラスからなる。管体１１は、所定の方向（ここではＹ方向）に延伸する形状を示し、一例として円筒形状を示す。このとき、図３を参照して後述されるように、加熱ランプ３をＹ方向に見たときに円形状を示す。ただし、管体１１は円筒形状に限定されず、例えば楕円筒形状や多角筒形状など、他の形状を有してもよい。
【００３４】
管体１１内には、発光体１３が設けられており、ハロゲンガスなどのガスが封入されている。発光体１３は、例えばタングステンよりなる線材がコイル状に巻回されており、管体１１の軸方向（ここではＹ方向）に沿って伸びるように配置されている。発光体１１の両端は金属箔１５に電気的に接続されている。金属箔１５は、図示しない電源部と電気的に接続されており、電源部から金属箔１５を介して発光体１３に電力が供給されることで、発光体１３が発光する。発光体１３の発光波長は、例えば８００ｎｍ以上１５０００ｎｍ以下であり、好ましくは８００ｎｍ以上２０００ｎｍ以下である。金属箔１５は、例えばセラミックスからなる封止体１７に埋設されている。
【００３５】
図２に示される加熱ランプ３は、管体１１の外側面に、管体１１の軸方向（Ｙ方向）に延伸するように、帯状の反射部材１９を設けている。反射部材１９は、加熱ランプ３から見て、加工対象物７とは反対側の管体１１の面に設けられている。すなわち、この実施形態では、発光体１３よりも−Ｚ方向に係る管体１１の側面に反射部材１９が設けられている。
【００３６】
図３は、加熱装置１を、加熱ランプ３の延伸方向（Ｙ方向）に沿って見たときの構造を模式的に示す図面である。図３は、主として図１内の領域Ａ１の部分をＹ方向に見たときの構造が図示されている。
【００３７】
上述したように、加熱対象物７は、支持体８によって固定的に設置されており、加熱ランプ３から射出された光が＋Ｚ方向に照射されることで加熱される。そして、加熱対象物７は、一部の領域７Ａ（「第一領域」に対応）に対して加熱を施し、別の領域７Ｂ（「第二領域」に対応）に対しては加熱を施さないことが想定されている。すなわち、領域７Ｂに対して加熱ランプ３からの射出光が照射されないよう、領域７Ｂに対向する領域には遮光部材９が配置されている。
【００３８】
なお、上述したように、遮光部材９は加熱ランプ３からの射出光を反射させる材料で構成されている。このとき、加熱ランプ３から射出された光が、遮光部材９の面、より詳細には光源部５に対向する面であり更に具体的にはＸＹ平面に平行な面、で反射されると、加熱対象物７とは反対側の向き（−Ｚ方向）に進行することとなる。この光を再び加熱対象物７に向かわせる目的で、光源部５及び加熱対象物７が筐体２内に収容され、この筐体２の内側の面が加熱ランプ３からの射出光を反射させる材料で構成されている。
【００３９】
また、本実施形態では、遮光部材９の側面が、発光部５に対向する面、及び加熱対象物に対向する面に対して斜度を有して構成されている。この点につき、図４に示す拡大図を参照して説明する。なお、このような遮光部材９は、例えば切削加工や金型成形によって製造することができる。
【００４０】
図４は、図３のうち、加熱対象となる第一領域７Ａと、加熱対象外である第二領域７Ｂとの境界近傍を拡大した図面である。なお、図３及び図４において、第一領域７Ａに対向する位置であって、遮光部材９に最も近い位置に配置された加熱ランプ３を「加熱ランプ３Ａ」と符号を付している。この加熱ランプ３Ａは「特定ランプ」に対応する。また、加熱対象領域７Ａに対向する位置であって、加熱ランプ３Ａの隣接した位置に配置された加熱ランプ３を、「加熱ランプ３Ｂ」と符号を付している。
【００４１】
図４に示すように、遮光部材９は、光源部５に対向する第一面９ａ、加熱対象物７に対向する第二面９ｂ、及び第一面９ａと第二面９ｂとを連絡する第三面９ｃを有する。すなわち、本実施形態の例では、遮光部材９の面のうち、第一面９ａ及び第二面９ｂはＸＹ平面に平行な面であり、第三面９ｃはＸＹ平面に非平行な面である。そして、図４に示すように、第三面９ｃと第一面９ａの二面角２０が鈍角で構成されている。
【００４２】
図４において、一点鎖線は、加熱ランプ３Ａ及び３Ｂから射出された光線のうち、遮光部材９に入射されることなく直接加熱対象物７に向かって進行する光線の一部を示している。また、図４において、二点鎖線は、加熱ランプ３Ａから射出された光線のうち、遮光部材９に入射された後、当該遮光部材９で反射されて加熱対象物７に向かって進行する光線の一部を示している。図４によれば、加熱ランプ３Ａから射出され、遮光部材９の面（第三面９ｃ）で反射された光は、加熱対象物７の領域３０ａ内にわたって入射される。
【００４３】
図５は、遮光部材９に代えて、遮光部材９０を用いた場合の光線図を図４にならって図示したものである。この遮光部材９０は後述される比較例１に対応する。遮光部材９０は、遮光部材９と同様に、光源部５に対向する第一面９０ａ、加熱対象物７に対向する第二面９０ｂ、及び第一面９０ａと第二面９０ｂとを連絡する第三面９０ｃを有する。しかし、遮光部材９０は、遮光部材９と異なり、第三面９０ｃは第一面９０ａに対して垂直である。
【００４４】
この場合、図５に示されるように、加熱ランプ３Ａから射出され、遮光部材９０の面（第三面９０ｃ）で反射された光は、加熱対象物７の領域３０ｂ内にわたって入射される。この領域３０ｂは、図４に示される領域３０ａと比較すると、その範囲が極めて狭いことが理解される。このことは、光源部５から射出された光を、遮光部材９０を用いて遮光することで、加熱対象物７の第一領域７Ａを加熱しようとすると、第一領域７Ａ内の特定の領域３０ｂの照度が周囲よりも高まることを意味する。この結果、第一領域７Ａ内のうち、領域３０ｂが著しく加熱されてしまい、加熱ムラを生じさせる原因となる。
【００４５】
これに対し、図４に示されるように、遮光部材９を、第三面９ｃと第一面９ａの二面角２０が鈍角となるように構成することで、第三面９ｃで反射された光が加熱対象物７に照射される領域３０ａを広げることができる。これは、図５に示す領域３０ｂよりも図４に示す領域３０ａの範囲が広がっていることからも理解される。
【００４６】
図５の遮光部材９０のように、第三面９０ｃを、第一面９０ａに対して直角とした場合、加熱ランプ３Ａから射出された光が、遮光部材９０の第三面９０ｃに入射する際の入射角の範囲は限定的となる。この結果、前記光が遮光部材９０の第三面９０ｃで反射された光の反射角の範囲が限定的となり、この反射光が加熱対象物７に照射される領域（３０ｂ）が限定的になる。
【００４７】
これに対し、図４の遮光部材９のように、第三面９ｃを第一面９ａに対して鈍角とすると、遮光部材９０の場合と比べて、加熱ランプ３Ａから射出された光が、遮光部材９の第三面９ｃに入射する際の入射角の範囲を広げることができる。この結果、前記光が遮光部材９の第三面９ｃで反射された光の反射角が広がり、この反射光が加熱対象物７に照射される領域（３０ａ）が広がる。よって、図５の場合と比べて、加熱対象物７の特定の箇所を著しく加熱するという事態が抑制される。なお、加熱ランプ３Ａよりも遮光部材９から離れた位置に配置された、他の加熱ランプ３については、そもそも遮光部材９の第最麺９ｃに入射されたとしてもその入射角の範囲が広いため、加熱ランプ３Ａと比べると加熱ムラを発生させる原因とはなりにくい。
【００４８】
図６は、遮光部材９の形状を種々異ならせて加熱対象物７を加熱したときの、加熱対象物７上の照度分布のシミュレーション結果を示すグラフである。図６において、横軸はＸ軸方向に係る加熱対象物７上の位置を指し、縦軸は照度を指す。なお、遮光部材（９，９０）は、Ｘ軸方向に関して０〜２０ｃｍの位置に設置された。図６は、遮光部材（９，９０）の形状を除いては、全て同一の条件で測定された結果である。以下にその条件を記載する。
【００４９】
各加熱ランプ３の出力は５４００Ｗである。
各加熱ランプ３同士のＸ軸方向の間隔は２０ｍｍである。
各加熱ランプ３と遮光部材（９，９０）との間の、Ｚ軸方向に係る距離は３７ｍｍである。
遮光部材（９，９０）のＺ軸方向の厚みは１０ｍｍである。
遮光部材（９，９０）が配置されていない領域における、各加熱ランプ３と加熱対象物７との間の、Ｚ軸方向に係る距離は５０ｍｍである。
遮光部材（９，９０）と加熱対象物７とのの間の、Ｚ軸方向に係る距離は３ｍｍである。
【００５０】
比較例１は、遮光部材９０を用いた場合、すなわち、第一面９０ａと第三面９０ｃとの二面角が９０°である場合に対応する。
【００５１】
実施例１〜実施例４は、上述したように、遮光部材９の面のうちの第一面９ａと第三面９ｃとの二面角２０が鈍角である場合に対応する。
実施例１は、第一面９ａと第三面９ｃとの二面角２０が１０５°である。このとき、第二面９ｂと第三面９ｃとの二面角は７５°である。
実施例２は、第一面９ａと第三面９ｃとの二面角２０が１２０°である。このとき、第二面９ｂと第三面９ｃとの二面角は６０°である。
実施例３は、第一面９ａと第三面９ｃとの二面角２０が１３５°である。このとき、第二面９ｂと第三面９ｃとの二面角は４５°である。
実施例４は、第一面９ａと第三面９ｃとの二面角２０が１５０°である。このとき、第二面９ｂと第三面９ｃとの二面角は３０°である。
【００５２】
実施例５は、図７に示すように、遮光部材９の第三面９ｃが曲面で構成されている構成である。
【００５３】
図６によれば、実施例１〜５は、比較例１と比べて、加熱対象物７内の照度のバラツキが抑制されており、加熱ムラが抑制できていることが理解される。特に、実施例１〜４を比較すると、第一面９ａと第三面９ｃとの二面角２０を１２０°以上とすることで、加熱対象物７内の照度をほぼ均一化することができている。
【００５４】
また、図６によれば、図７に示す遮光部材９のように、第三面９ｃを曲面とした実施例５によっても、比較例１と比べて照度バラツキを抑制できることが分かる。これは、図７に示すように、遮光部材９の第三面９ｃで反射した光の進行方向を、図５の場合よりもバラつかせることができるためである。この結果、加熱対象物７の特定の領域の照度が著しく高くなるということがなくなり、加熱ムラが抑制される。
【００５５】
［別実施形態］
以下、別実施形態につき説明する。
【００５６】
〈１〉  本発明の遮光部材９は、図４や図７に示した形状に限定されず、第一面９ａに平行な方向から見て、第一面９ａに最も近い位置から第二面９ｂに近づくに連れて拡がりを有する領域を有するような形状であればよい。遮光部材９をこのような形状とすることで、遮光部材９の側面（第三面９ｃ）で反射された光の発散角の範囲が広げられるため、加熱対象物７上の特定の領域の照度が著しく高まるということがなくなり、加熱ムラが抑制される。
【００５７】
遮光部材９の形状の例として、図４や図７に示した形状以外には、例えば図８〜図１０に示すような形状を採用することも可能である。
【００５８】
図８及び図９に示す遮光部材９は、第三面９ｃが複数の面で構成されており、第一面９ａよりも第二面９ｂの方が面積が広い。
図１０に示す遮光部材９は、第三面９ｃが複数の面で構成されている。そして、第一面９ａと第二面９ｂの面積は同一であるが、第一面９ａから第二面９ｂに近づくに連れてＸ方向に広がりを有する領域が存在している。
【００５９】
また、上述した実施形態では、遮光部材９は、厚み（Ｚ方向の長さ）がほぼ一定の平板形状を有するものとして説明したが、前記厚みを位置に応じて異ならせた形状を採用するものとしても構わない。
【００６０】
〈２〉  図２を参照して上述した加熱ランプ３の構造は、あくまで一例である。本発明は、加熱ランプ３の構造には限定されない。
【００６１】
また、上記の実施形態では、加熱対象物７に対して光源部５から＋Ｚ方向の向き、すなわち一方向に光が照射される場合について説明した。しかし、本発明は、加熱対象物７に対して二方向から光を照射する場合についても適用が可能である。この場合、光源部５は、加熱対象物７の＋Ｚ側と−Ｚ側の双方に配置される。
【００６２】
〈３〉  本発明は、加熱対象物７の形状には限定されず、例えば、加熱対象物７の厚み（Ｚ方向の長さ）が場所によって異なる場合にも適用可能である。
【００６３】
〈４〉  加熱ランプ３が反射部材１９を備えるか否かは任意である。また、筐体２の内側の面を加熱ランプ３からの射出光を反射させる材料で構成することも任意である。ただし、光の利用効率を高める観点からは、加熱ランプ３が反射部材１９を備えた上で、筐体２の内側の面を反射材料で構成するのが好ましい。
【符号の説明】
【００６４】
１      ：    加熱装置
２      ：    筐体
３      ：    加熱ランプ
３Ａ，３Ｂ      ：    加熱ランプ
５      ：    光源部
７      ：    加熱対象物
７Ａ    ：    加熱対象領域（第一領域）
７Ｂ    ：    加熱対象外領域（第二領域）
８      ：    支持部
９      ：    遮光部材
９ａ    ：    遮光部材の第一面
９ｂ    ：    遮光部材の第二面
９ｃ    ：    遮光部材の第三面
１１      ：    管体
１３      ：    発光体
１５      ：    金属箔
１７      ：    封止体
１９      ：    反射部材
２０      ：    遮光部材の第一面と第三面の二面角
９０      ：    比較例１の遮光部材
９０ａ    ：    比較例１の遮光部材の第一面
９０ｂ    ：    比較例１の遮光部材の第二面
９０ｃ    ：    比較例１の遮光部材の第三面
【図１】
2018063874.tif 000003
【図２】
2018063874.tif 000004
【図３】
2018063874.tif 000005
【図４】
2018063874.tif 000006
【図５】
2018063874.tif 000007
【図６】
2018063874.tif 000008
【図７】
2018063874.tif 000009
【図８】
2018063874.tif 000010
【図９】
2018063874.tif 000011
【図１０】
2018063874.tif 000012